(57)【要約】【課題】受網から漏下する枝梗粒や穂切れ粒及び切れ藁が、グレンパン上に堆積する単粒中に混入して十分に篩選別がなされない状態でグレンパン後方のチャフシーブまで揺動移送されることによって、該チャフシーブによる脱穀処理物の層状選別（比重選別）性能が低下するといった問題点を解消する。【解決手段】扱室５の下部に備える受網４と、該受網４の前側下方に設けたグレンパン９との側面視における上下空間Ｓに、多数の漏下孔３１ａを有する後下がり傾斜の多孔板３１を受網４の前端部Ｆからグレンパン９の中間部Ｍに亘って延設した。【選択図】図１
2010279288.tif 000002
【特許請求の範囲】
【請求項１】
扱室（５）の下部に備える受網（４）から漏下する脱穀処理物を、前記受網（４）の前側下方に設けたグレンパン（９）と、該グレンパン（９）の後方に設けたチャフシーブ（１１）で揺動移送しながら選別処理を行なう揺動選別体（２１）を備えた脱穀装置において、前記受網（４）とグレンパン（９）の側面視における上下空間（Ｓ）に、多数の漏下孔（３１ａ）を有する後下がり傾斜の多孔板（３１）を受網（４）の前端部（Ｆ）からグレンパン（９）の中間部（Ｍ）に亘って延設したことを特徴とする脱穀装置。
【請求項２】
前記多孔板（３１）を、受網（４）の前端部（Ｆ）から、該前端部（Ｆ）に最も近い位置に突出して受網（４）上の脱穀処理物の流動に抵抗を与える仕切り板（Ｃ１）の近傍まで延設したことを特徴とする請求項１に記載の脱穀装置。
【発明の詳細な説明】
【技術分野】
【０００１】
本発明は、コンバイン等に搭載される脱穀装置に関する。
【背景技術】
【０００２】
従来、コンバイン等に搭載される脱穀装置では、扱室内に供給された穀稈を扱胴で脱穀すると共に、扱室の下部に備える受網から漏下する脱穀処理物を、グレンパン（波板状の無孔移送板）と、該グレンパンの後方に設けた開度調節自在なチャフシーブで揺動移送しながら選別処理を行なう揺動選別体を備えている（例えば、特許文献１参照）。
【先行技術文献】
【特許文献】
【０００３】
【特許文献１】特開２００６−２４６７８３号公報（第４頁、図１）
【発明の概要】
【発明が解決しようとする課題】
【０００４】
そして、上述した従来の脱穀装置では、扱室内に供給される穀稈の大半が扱室の前半部分において脱穀されるので、必然的に扱室の入口付近において枝梗粒や穂切れ粒及び切れ藁が多く発生し、このように発生した枝梗粒や穂切れ粒及び切れ藁と、脱穀された単粒（枝梗と籾が分離した状態）とを含む脱穀処理物は、扱室下方に備える受網から扱室の内向きに突出して脱穀処理物の扱室後方向きの流動に抵抗を与える複数の仕切り板を設けることによって、前記脱穀処理物の扱室後方向きの流動を一時的に規制しながら適正な量の単粒を受網から漏下させることができるようしている。
【０００５】
しかしながら、扱室の入口付近においては、受網の前端部に最も近い位置に設けた仕切り板に規制されて受網から漏下する単粒の量が多くなり、受網（扱室）の前側下方に設けたグレンパン上に堆積する単粒の層厚が厚くなると共に、受網から漏下する枝梗粒や穂切れ粒及び切れ藁の量も多くなるので、これらの枝梗粒や穂切れ粒及び切れ藁は、グレンパン上に堆積する単粒中に混入してしまう。そして、このようにグレンパン上に堆積した単粒中に枝梗粒や穂切れ粒及び切れ藁が多く混入してしまうと、グレンパンによる篩選別が十分になされない状態でグレンパンの後方に設けたチャフシーブまで脱穀処理物が揺動移送されることになり、開度調節自在なチャフシーブによる脱穀処理物の所望の層状選別（比重選別）効果を得ることができないといった問題点を有していた。
【課題を解決するための手段】
【０００６】
本発明は、上記課題を解決することを目的として創案したものであって、扱室の下部に備える受網から漏下する脱穀処理物を、前記受網の前側下方に設けたグレンパンと、該グレンパンの後方に設けたチャフシーブで揺動移送しながら選別処理を行なう揺動選別体を備えた脱穀装置において、前記受網とグレンパンの側面視における上下空間に、多数の漏下孔を有する後下がり傾斜の多孔板を受網の前端部からグレンパンの中間部に亘って延設したことを第１の特徴としている。
そして、前記多孔板を、受網の前端部から、該前端部に最も近い位置に突出して受網上の脱穀処理物の流動に抵抗を与える仕切り板の近傍まで延設したことを第２の特徴としている。
【発明の効果】
【０００７】
請求項１の発明によれば、扱室の下部に備える受網と、該受網の前側下方に設けたグレンパンの側面視における上下空間に、多数の漏下孔を有する後下がり傾斜の多孔板を受網の前端部からグレンパンの中間部に亘って延設したので、扱室内に供給される穀稈の大半が脱穀される扱室の前半部分、即ち扱室の入口付近において受網から漏下する脱穀処理物のうち、単粒のみが前記多孔板の漏下孔から漏下してグレンパン上に層厚の厚い単粒の堆積層が形成される。一方、扱室の入口付近において受網から漏下する量の多い枝梗粒や穂切れ粒及び切れ藁は、後下がり傾斜の多孔板上を徐々に滑り落ちながら該多孔板の終端に達すると層厚の厚い単粒の堆積層上に落下するようになる。つまり、グレンパン上に堆積した層厚の厚い単粒の堆積層上に枝梗粒や穂切れ粒及び切れ藁が落下して両者が層状に分離した状態で、グレンパンによる後方への揺動移送が行われてチャフシーブに引き継がれるようになり、それによって該チャフシーブによる脱穀処理物の層状選別（比重選別）性能を向上させることができる。
そして、請求項２の発明によれば、前記多孔板を、受網の前端部から、該前端部に最も近い位置に突出して受網上の脱穀処理物の流動に抵抗を与える仕切り板の近傍まで延設したことで、扱室の入口付近において多く発生する枝梗粒や穂切れ粒及び切れ藁と、脱穀された単粒とを含む脱穀処理物の扱室後方向きの流動が前記仕切り板の部分で最初に規制され、それに伴って受網から漏下する枝梗粒や穂切れ粒及び切れ藁が多くなったとしても、これらの枝梗粒や穂切れ粒及び切れ藁は、受網の前端部から前記仕切り板の近傍まで延設した後下がり傾斜の多孔板上を徐々に滑り落ちながら、グレンパン上に堆積した層厚の厚い単粒の堆積層上に落下して両者が層状に分離した状態で、グレンパンによる後方への揺動移送が行なわれてチャフシーブに引き継がれるようになり、それによって該チャフシーブによる脱穀処理物の層状選別（比重選別）性能を向上させることができる。
【図面の簡単な説明】
【０００８】
【図１】一部を省略した脱穀装置の側面図。
【図２】一部を省略した脱穀装置の正面図。
【図３】受網の平面図。
【発明を実施するための形態】
【０００９】
以下、本発明の実施形態を図面に基づいて詳細に説明する。
【実施例１】
【００１０】
図１及び図２は、コンバイン等に搭載される脱穀装置１の一部を省略した側面図と正面図であり、脱穀装置１は、箱枠状に形成された脱穀機枠２の上部に複数の扱歯３ａを外周に突設した扱胴３、及び該扱胴３の下側に図３に示す如く多数の漏下孔４ａを穿設してなる円弧状の受網４を備えた扱室５と、該扱室５の終端部奥側（扱室５で脱穀される穀稈の穂先側）に処理胴６及び処理網７を備えた処理室８を設けている。
【００１１】
更に詳しく説明すると、上述した受網４の前側下方には、該受網４から漏下する脱穀処理物（扱室５で脱穀された単粒と、同時に発生する枝梗粒や穂切れ粒及び切れ藁を含む）を後方へ揺動移送するためのグレンパン（波板状の無孔移送板）９を設けると共に、該グレンパン９の後方から側面視で処理室８の略中間部に亘って開度調節自在なチャフシーブ１１を設けている。そして、グレンパン９の終端部下方に設けた無孔移送板１２の終端から後方に向けて選別網１３を張設し、この選別網１３の下方に一番樋１４に一番物を流下させる一番流板１５を斜設すると共に、該一番流板１５の後端部から後方に向けて後上がり傾斜のストローラック１７を設け、更に該ストローラック１７の下方には、二番樋１８に二番物を流下させる二番流板１９を斜設して、これらを一体的に枠組みした揺動選別体２１を構成している。尚、揺動選別体２１は、その前後を図示しない支持リンクと駆動リンク等で構成される揺動支持機構を備えると共に、脱穀機枠２を構成する左右の側壁２ａ，２ｂ（図２参照）に着脱自在に支持されている。
【００１２】
また、揺動選別体２１の下方には、送風（唐箕）ファン２２、一番流板１５等からなる選別風路２３を形成しており、揺動駆動する揺動選別体２１に向く下方からの選別風Ａにより一番物（脱穀処理物）を風選し、且つ選別風路２３の後方に配設した補助送風ファン２４から送風される選別風Ｂにより、ストローラック１７上の二番物を風選し、更に選別分離された後にストローラック１７から排出される切れ藁等の夾雑物と、処理室８から排出される切れ藁等の夾雑物とを、横断流（吸引排塵）ファン２５を介して機体後方の排塵口２６から機外へ放出できるようになっている。尚、一番樋１４に落下した穀粒は、図示しない揚穀筒により穀粒タンクに揚上搬送されると共に、二番樋１８に落下した二番物は、図示しない二番還元筒を介して揺動選別体２１上に還元されるようになっている。
【００１３】
ところで、扱室５内に供給される穀稈の大半は、扱室５の前半部分において脱穀されるので、必然的に扱室５の入口付近において枝梗粒や穂切れ粒及び切れ藁が多く発生する。そこで、扱室５の入口付近で多く発生する枝梗粒や穂切れ粒及び切れ藁が受網４の前側部分で落下することを防止すべく、受網４に穿設する漏下孔４ａを、図３に示すように、前側の目合いｅ１を中間部の目合いｅ２、及び後側の目合いｅ３に比べて小さく（ｅ１＜ｅ２＜ｅ３）なるように構成している。
【００１４】
更に、扱室５の下部に備える受網４には、該受網４から扱室５の内向きに突出して脱穀処理物の扱室５後方向きの流動に抵抗を与える複数の仕切り板Ｃ１，Ｃ２，Ｃ３を所定の前後間隔で設けてあり、これらの仕切り板Ｃ１，Ｃ２，Ｃ３によって、扱室５後方向きの脱穀処理物の流動を一時的に規制しながら適正な量の単粒を受網から漏下させることができるようしている。
【００１５】
しかしながら、扱室５の入口付近においては、受網４の前端部に最も近い位置に設けた仕切り板Ｃ１に規制されて受網４から漏下する単粒が多くなり、受網４（扱室５）の前側下方に設けたグレンパン９上に堆積する単粒の層厚が厚くなると共に、受網４から漏下する枝梗粒や穂切れ粒及び切れ藁の量も多くなるので、これらの枝梗粒や穂切れ粒及び切れ藁は、グレンパン９上に堆積する単粒中に混入してしまう。そして、このようにグレンパン９上に堆積した層厚な単粒中に枝梗粒や穂切れ粒及び切れ藁が多く混入してしまうと、グレンパン９による篩選別が十分になされない状態でグレンパン９の後方に設けたチャフシーブ１１まで脱穀処理物が揺動移送されることになり、開度調節自在なチャフシーブ１１による脱穀処理物の所望の層状選別（比重選別）効果を得ることができないといった問題点を有していた。
【００１６】
そこで本発明では、上述した問題点を解決するために、図１及び図２に示すように、扱室５の下部に備える受網４とグレンパン９の側面視における上下空間Ｓに、単粒（穀粒）の漏下は許容して枝梗粒や穂切れ粒及び切れ藁が漏下しない程度の多数の漏下孔３１ａ，３２ａを穿設した後下がり傾斜の２枚の多孔板３１，３２を、揺動選別体２１を構成する左右の側壁２１ａ，２１ｂに設置（固設）することによって、受網４から漏下する脱穀処理物のうち、単粒のみを多孔板３１，３２の漏下孔３１ａ，３２ａから漏下させてグレンパン９上に層厚の厚い単粒の堆積層を形成する一方、扱室５の入口付近において受網４から漏下する量の多い枝梗粒や穂切れ粒及び切れ藁が、後下がり傾斜の多孔板３１，３２上を徐々に滑り落ちながら該多孔板３１，３２の終端に達すると層厚の厚い単粒の堆積層上に落下するように構成している。
【００１７】
更に詳しく説明すると、上述の如く受網４とグレンパン９の側面視における上下空間Ｓに設置した２枚の多孔板３１，３２のうち、前側の多孔板３１は、受網４の前端部Ｆからグレンパン９の中間部Ｍに亘って延設してあるので、扱室５内に供給される穀稈の大半が脱穀される扱室５の前半部分、即ち扱室５の入口付近において受網４から漏下する脱穀処理物のうち、単粒のみが前記多孔板３１の漏下孔３１ａから漏下してグレンパン９上に層厚の厚い単粒の堆積層が形成される。一方、扱室５の入口付近において受網から漏下する量の多い枝梗粒や穂切れ粒及び切れ藁は、後下がり傾斜の多孔板上３１を徐々に滑り落ちながら該多孔板３１の終端に達すると層厚の厚い単粒の堆積層上に落下するようになる。つまり、グレンパン９上に堆積した層厚の厚い単粒の堆積層上に枝梗粒や穂切れ粒及び切れ藁が落下して両者が層状に分離した状態で、グレンパン９による後方への揺動移送が行われて開度調節自在なチャフシーブ１１に引き継がれるようになり、それによって該チャフシーブ１１による脱穀処理物の層状選別（比重選別）性能を向上させることができる。
【００１８】
更に、前側の多孔板３１は、受網４の前端部Ｆから、該前端部Ｆに最も近い位置に突出して受網４上の脱穀処理物の流動に抵抗を与える仕切り板Ｃ１の近傍まで延設してあるので、扱室５の入口付近において多く発生する枝梗粒や穂切れ粒及び切れ藁と、脱穀された単粒とを含む脱穀処理物の扱室５後方向きの流動が前記仕切り板Ｃ１の部分で最初に規制され、それに伴って受網４から漏下する枝梗粒や穂切れ粒及び切れ藁が多くなったとしても、これらの枝梗粒や穂切れ粒及び切れ藁は、受網４の前端部Ｆから前記仕切り板Ｃ１の近傍まで延設した後下がり傾斜の多孔板３１上を徐々に滑り落ちながら、グレンパン９上に堆積した層厚の厚い単粒の堆積層上に落下して両者が上下に層状に分離した状態で、グレンパン９による後方への揺動移送が行なわれて開度調節自在なチャフシーブ１１に引き継がれるようになり、それによって該チャフシーブ１１による脱穀処理物の層状選別（比重選別）性能が向上させることができる。
【００１９】
そして、後側の多孔板３２は、前側の多孔板３１の終端部、即ち前記仕切り板Ｃ１の近傍から、該仕切り板Ｃ１の後方に設けた切り板Ｃ２の近傍まで延設してあり、それによって扱室５の中間部付近に存在する枝梗粒や穂切れ粒及び切れ藁と、脱穀された単粒とを含む脱穀処理物の扱室５後方向きの流動が前記仕切り板Ｃ２の部分で規制され、それに伴って受網４から漏下する枝梗粒や穂切れ粒及び切れ藁が多くなったとしても、これらの枝梗粒や穂切れ粒及び切れ藁は、後側の多孔板３２上を徐々に滑り落ちながらグレンパン９上に堆積した層厚の厚い単粒の堆積層上に落下し、開度調節自在なチャフシーブ１１による脱穀処理物の層状選別性能を更に向上させることができるが、扱室の入口付近において多く発生する枝梗粒や穂切れ粒及び切れ藁は、前側の多孔板３１で単粒との層状分離が殆んどなされるので、後側の多孔板３２を必ずしも設けなくてもよい。
【符号の説明】
【００２０】
４      受網
５      扱室
９      グレンパン
１１    チャフシーブ
２１    揺動選別体
３１    多孔板
３１ａ  漏下孔
Ｍ      中間部
Ｆ      前端部
Ｓ      上下空間
【図１】
2010279288.tif 000003
【図２】
2010279288.tif 000004
【図３】
2010279288.tif 000005